(57)【要約】【課題】簡単な構成で必要なシール強度を確保しつつ、容易に開封することができるとともに、フィルム蓋が多層フィルムで構成されている場合の開封時のフィルムの層間剥離の発生を防ぐことができる容器、フィルム蓋付容器、及びフィルム蓋付容器入り飲食品を提供すること。【解決手段】容器１は、容器本体２の上端に開口する開口部２ａの周縁にフランジ部２Ｃが形成されたカップ状の容器であって、フランジ部２Ｃの上面の外周縁部に、下方に向かって斜めに傾斜する傾斜部２ｃを全周に亘って形成して成るものである。フィルム蓋付容器は、上記容器１のフランジ部２Ｃの上面の傾斜部２ｃ以外の平坦部２ｄに、フィルム蓋を接合して成るものである。ここで、フィルム蓋は、多層フィルムで構成されていてもよい。フィルム蓋付容器入り飲食品は、上記フィルム蓋付容器と、フィルム蓋付容器に密封充填された飲食品とを備える。【選択図】図２
2020125134.tif 000002
【特許請求の範囲】
【請求項１】
容器本体の上端に開口する開口部の周縁にフランジ部が形成されたカップ状の容器であって、
前記フランジ部の上面の外周縁部に、下方に向かって斜めに傾斜する傾斜部を全周に亘って形成して成る容器。
【請求項２】
前記傾斜部の径方向長さは、少なくとも１．０ｍｍに設定されている請求項１記載の容器。
【請求項３】
前記傾斜部の水平面に対する傾斜角は、前記傾斜部の高低差が０．１ｍｍより大きい値となる角度である請求項１または２記載の容器。
【請求項４】
前記フランジ部の基端部の厚さを他の部位の厚さよりも厚く設定した請求項１〜３のいずれか１項記載の容器。
【請求項５】
前記容器本体の上端外周面と前記フランジ部の基端部底面とを凹曲面で接続した請求項４記載の容器。
【請求項６】
請求項１〜５のいずれか１項記載の容器の前記フランジ部の上面の前記傾斜部以外の平坦部に、フィルム蓋を接合して成るフィルム蓋付容器。
【請求項７】
前記フィルム蓋は、種類の異なる複数のフィルムをラミネートして成る多層フィルムで構成されている請求項６記載のフィルム蓋付容器。
【請求項８】
請求項６または７記載のフィルム蓋付容器と、
前記フィルム蓋付容器に密封充填された飲食品とを備えるフィルム蓋付容器入り飲食品。
【発明の詳細な説明】
【技術分野】
【０００１】
本発明は、内容物を収容する容器、該容器に内容物を密封状態で収容するためのフィルム蓋付容器、及びフィルム蓋付容器入り飲食品に関する。
【背景技術】
【０００２】
発酵乳などの食料品、その他の飲食品は、フィルム蓋付容器に密封された状態で販売されることが多い。かかるフィルム蓋付容器は、容器本体の開口部の周縁にフランジ部が形成されたカップ状の容器と、この容器の前記開口部を覆うフィルム蓋とを備え、前記フィルム蓋を前記容器本体のフランジ部にヒートシール（熱融着）などによって接合して容器内を密封することによって構成されている。
【０００３】
ところで、フィルム蓋付容器に対しては、ユーザーが大きな力を要することなく容易に開封することができることが要求され、このような要求を満たすための容器が易開封性容器として今までに種々提案されている。
【０００４】
例えば、特許文献１では、フィルム蓋とシールされるシール面を有するシール層と、このシール層のシール面とは反対側の面に設けられる基材層とを有する多層構造の容器が提案されている。容器は、開封時にシール層と基材層との間で剥離する。容器のフランジ部には環状の切込みが設けられており、この切込み位置でシール層と基材層との剥離が中止される。これにより、切込みより内側ではシール層と基材層との剥離が生じることなく、容器からフィルム蓋を容易に剥離することができる。
【先行技術文献】
【特許文献】
【０００５】
【特許文献１】特開２０１４−１９８５７５号公報
【発明の概要】
【発明が解決しようとする課題】
【０００６】
特許文献１に記載された発明は、切込みの位置や深さの精度が要求される他、切込みより内縁にシールがなされると容易に開封することができないという問題があった。また、フィルム蓋が複数のフィルムをラミネートして成る多層フィルムである場合には、開封途中においてもフィルムに層間剥離が発生し、フィルムの一部が容器のフランジ部に残ってしまうという問題もあった。
【０００７】
本発明は、上記問題に鑑みてなされたもので、その目的は、簡単な構成で必要なシール強度を確保しつつ、容易に開封することができるとともに、フィルム蓋が多層フィルムで構成されている場合の開封時のフィルムの層間剥離の発生を防ぐことができる容器、フィルム蓋付容器、及びフィルム蓋付容器入り飲食品を提供することにある。
【課題を解決するための手段】
【０００８】
本発明に係る容器は、容器本体の上端に開口する開口部の周縁にフランジ部が形成されたカップ状の容器であって、前記フランジ部の上面の外周縁部に、下方に向かって斜めに傾斜する傾斜部を全周に亘って形成して成るものである。
【０００９】
本発明に係るフィルム蓋付容器は、上記容器の前記フランジ部の上面の前記傾斜部以外の平坦部に、フィルム蓋を接合して成るものである。
【００１０】
本発明に係るフィルム蓋付容器入り飲食品は、上記フィルム蓋付容器と、前記フィルム蓋付容器に密封充填された飲食品とを備える。
【発明の効果】
【００１１】
本発明によれば、容器本体のフランジ部の上面の外周縁部に傾斜部を形成し、フランジ部の上面の傾斜部以外の平坦部にフィルム蓋を接合したため、フランジ部の上面に全面に亘ってフィルム蓋をヒートシールした容器に比して、開封時のフィルム蓋の引き剥がし力が小さくて済み、必要なシール強度を確保しつつ、容器をより一層容易に開封することができる。このため、特にフィルム蓋が多層フィルムで構成されている場合には、開封時のフィルムの層間剥離の発生が防がれ、容器本体のフランジ部にフィルムの一部が残るという不具合が発生することがない。そして、このような効果は、容器本体のフランジ部の上面の外周縁部に単に傾斜部を形成するだけの簡単な構成によって得られるため、容器の成形費を低く抑えてコストダウンを図ることができる。
【図面の簡単な説明】
【００１２】
【図１】本実施形態に係る容器の一部を破断して示す斜視図である。
【図２】本実施形態に係る容器の縦断面図である。
【図３】図２のＡ部拡大詳細図である。
【図４】本実施形態に係るフィルム蓋付容器の一部を破断して示す分解斜視図である。
【図５】本実施形態に係るフィルム蓋付容器の縦断面図である。
【図６】図５のＢ部拡大詳細図である。
【図７】開封初期の状態を示す図６と同様の図である。
【図８】本実施形態に係るフィルム蓋付容器の開封初期の状態を示す縦断面図である。
【図９Ａ】実施例１に係る容器のフランジ部の断面図である。
【図９Ｂ】比較例１に係る容器のフランジ部の断面図である。
【発明を実施するための形態】
【００１３】
以下に本発明の実施形態を添付図面に基づいて説明する。
【００１４】
（容器の構成）
まず、本実施形態に係る容器の構成を図１〜図３に基づいて以下に説明する。
【００１５】
図１は本実施形態に係る容器の一部を破断して示す斜視図、図２は同容器の縦断面図、図３は図２のＡ部拡大詳細図である。図１及び図２に示すように、容器１は、上方に向かって拡径するカップ状（有底円筒状）の容器本体２を備えている。ここで、容器本体２は、図２に示すように、底上げされた円板状の底部２Ａと、テーパ円筒状の胴部２Ｂとを備えており、胴部２Ｂの上端には円形の開口部２ａが形成されている。なお、容器１において、開口部２ａ側が上であり、底部２Ａ側が下である。
【００１６】
容器本体２（胴部２Ｂ）の上端に開口する開口部２ａの周縁には、円形リング状のフランジ部２Ｃが径方向外方に向かって水平かつ一体に突設されている。ここで、本実施形態においては、図３に詳細に示すように、フランジ部２Ｃの基端部の厚さは、他の部位（フランジ部２Ｃの基端部を除く部分）の厚さよりも厚く設定されている。具体的には、容器本体２（胴部２Ｂ）の上端外周面とフランジ部２Ｃの基端部底面とは凹曲面２ｂによって接続されている。なお、曲面とは、単一または複数の曲率をもつ面のことをいう。曲面には、例えば、その断面に、真円または楕円の一部の曲線、放物線の一部の曲線、またはこれらを組み合わせた曲線を有する面が含まれる。
【００１７】
容器１（容器本体２）は、樹脂の射出成形によって一体成形される。樹脂には、例えば、オレフィン系樹脂、ポリエステル系樹脂が使用される。オレフィン系樹脂としては、ポリエチレン（ＰＥ）、ポリプロピレン（ＰＰ）などが挙げられる。ポリエステル系樹脂としては、ポリエチレンテレフタレート（ＰＥＴ）、ポリブチレンテレフタレート（ＰＢＴ）などが挙げられる。
【００１８】
ところで、本実施形態に係る容器１においては、図３に詳細に示すように、容器本体２のフランジ部２Ｃの上面の外周縁部には、下方に向かって斜めに傾斜する傾斜部２ｃが全周に亘って形成されており、同フランジ部２Ｃの上面の傾斜部２ｃを除く部分は、水平面としての平坦部２ｄを構成している。水平面とは、容器１の高さ方向（上下の方向）に垂直な平面をいう。
【００１９】
本実施形態においては、図３に示すように、フランジ部２Ｃの平坦部２ｄの径方向長さａ、傾斜部２ｃの径方向長さｂは、それぞれａ＝５．０ｍｍ、ｂ＝１．０ｍｍに設定されている。すなわち、フランジ部２Ｃの径方向全長は６．０ｍｍである。また、フランジ部２Ｃの平坦部２ｄ（基端部を除く）厚さｔ１、先端部の厚さｔ２は、それぞれｔ１＝０．８ｍｍ、ｔ２＝０．６ｍｍに設定されている。フランジ部２Ｃの傾斜部２ｃの水平面に対する傾斜角θは、該傾斜部２ｃの高低差Δｈが０．１ｍｍより大きい値となる角度であることが望ましく、Δｈが０．２ｍｍ以上となる角度であることが特に望ましい。なお、上記値ａ，ｂ，ｔ１，ｔ２は一例であるが、特に傾斜部２ｃの径方向長さｂとしては、本実施形態のように少なくともｂ＝１．０ｍｍが確保されていることが望ましい。
【００２０】
（フィルム蓋付容器）
次に、本実施形態に係るフィルム蓋付容器の構成を図４〜図６に基づいて以下に説明する。
【００２１】
図４は本実施形態に係るフィルム蓋付容器の一部を破断して示す分解斜視図、図５は同フィルム蓋付容器の縦断面図、図６は図５のＢ部拡大詳細図である。図４及び図５に示すように、本実施形態に係るフィルム蓋付容器１０は、容器１のフランジ部２Ｃの上面の傾斜部２ｃ以外の平坦部２ｄに、フィルム蓋１１を接合（熱融着）して容器１（容器本体２）の開口部２ａをフィルム蓋１１によって封止することによって構成されている。なお、後述のように、容器１内には、内容物が製造過程において予め充填されている。内容物は、飲食品、医薬品、化粧品などである。飲食品の形態としては、液状、ペースト状、固形、粉末などが挙げられる。飲食品としては、牛乳、清涼飲料（緑茶、コーヒー、紅茶など）、乳製品（発酵乳、ヨーグルト、チーズ、アイスクリームなど）、パン、ビスケット、クラッカー、ピッツァクラスト、調製粉乳（粉ミルクなど）、菓子類、流動食、病者用食品、健康食品、栄養食品、大豆食品、粉末たんぱく食品、冷凍食品、食品組成物、加工食品その他の市販飲食品などが挙げられる。なお、飲食品は、上記のものに限られず、例えば、濃縮果汁粉末、濃縮野菜、スープ原料、濃縮ミネラル、海洋深層水抽出ミネラル、シリアル食品、ビタミン類、糖類、薬草類、発酵菌などを含む。本実施形態では、内容物として発酵乳が容器１に充填される。フィルム蓋付容器１０内に密封充填された飲食品、すなわち、フィルム蓋付容器入り飲食品は、フィルム蓋付容器１０と、フィルム蓋付容器１０に密封充填された飲食品とを備える。
【００２２】
図４に示すように、容器本体２の開口部２ａを密閉するフィルム蓋１１は、外径が容器１（容器本体２）のフランジ部２Ｃの外径よりも若干大きな薄い円形フィルムによって構成されている。フィルム蓋１１の外周の一部には、開封時にユーザーが手で摘むための開封用タブ１１ａが一体に突設されている。
【００２３】
ここで、本実施形態では、フィルム蓋１１は、種類の異なる複数のフィルムをラミネートして成る多層フィルムで構成されている。具体的には、フィルム蓋１１の層構成は、以下の通りである。
【００２４】
ＰＥＴ（９〜１６μｍ）／ＡＬ（６〜２５μｍ）／ＰＥ（２０μｍ）／ホットメルト
ここで、ＰＥＴはポリエチレンテレフタレート、ＡＬはアルミニウム、ＰＥはポリエチレンである。また、ホットメルトは、熱によって融けて接着する接着材であって、これにはエチレン酢酸ビニルなどの熱可塑性樹脂が用いられる。また、上記において括弧内の数字は各層の厚みである。
【００２５】
このように多層フィルムで構成されたフィルム蓋１１は、図４に示すように、その周囲が容器１（容器本体２）のフランジ部２Ｃに沿うように位置決めされた状態で、フランジ部２Ｃの上面に上方から図示矢印方向に被せられ、その底面の円形リング状の外周縁部がフランジ部２Ｃの上面の傾斜部２ｃ以外の平坦部２ｄに圧接される。そして、この状態からフィルム蓋１１の外周縁部が加熱されると、該フィルム蓋１１の最下層（フランジ部２Ｃの上面に接する層）のホットメルトが溶融し、当該フィルム蓋１１の外周縁部が容器１（容器本体２）のフランジ部２Ｃの上面に形成された平坦部２ｄに接着される。この結果、図５に示すように、容器１（容器本体２）の開口部２ａがフィルム蓋１１によって封止され、容器１内に予め充填されている内容物が当該容器１内に密閉される。このとき、前述のようにフィルム蓋１１の外径は、容器１（容器本体２）のフランジ部２Ｃの外径よりも若干大きく設定されているため、図５及び図６に示すように、フィルム蓋１１は、その外周縁が容器１（容器本体２）のフランジ部２Ｃの径方向外方に幾分はみ出した状態で接着されている。また、フィルム蓋１１は、容器１（容器本体２）のフランジ部２Ｃの上面に形成された傾斜部２ｃには接着されていないため、両者の間には所定の隙間δ（図６参照）が形成されている。
【００２６】
なお、本実施形態では、容器１（容器本体２）のフランジ部２Ｃへのフィルム蓋１１の接合にホットメルトを用いたが、フィルム蓋１１の接合方法としては、ヒートシールによる溶着、レーザー照射による溶着などを用いることができる。
【００２７】
また、本実施形態では、フィルム蓋１１に多層構造を有する多層フィルムを用いたが、多層フィルムから成るフィルム蓋１１の層構成としては、前記のもの以外に下記のものが考えられる。
【００２８】
ＰＥＴ（９〜１６μｍ）／ＡＬ（６〜２５μｍ）／ＰＥ（２０μｍ）／ホットメルト
ＰＥＴ（９〜１６μｍ）／ＶＭＰＥＴ（９〜１６μｍ）／シーラントフィルム
ＯＮＹ（９〜２５μｍ）／ＡＬ（６〜２５μｍ）／ＰＥ（２０μｍ）／ホットメルト
ＯＮＹ（９〜２５μｍ）／ＡＬ（６〜２５μｍ）／シーラントフィルム
ここで、ＶＭＰＥＴはアルミニウムなどの金属が蒸着されたポリエチレンテレフタレート、ＯＮＹは延伸ナイロンである。また、上記において括弧内の数字は、各層の厚みである。
【００２９】
（作用及び効果）
次に、以上のように構成されたフィルム蓋付容器１０の作用及び効果を図７及び図８に基づいて以下に説明する。
【００３０】
図７は本実施形態に係るフィルム蓋付容器の開封初期の状態を示す図６と同様の図、図８は同フィルム蓋付容器の開封初期の状態を示す縦断面図である。
【００３１】
図５に示すように密封状態にあるフィルム蓋付容器１０を開封して不図示の内容物（本実施形態では、発酵乳）を当該フィルム蓋付容器１０から取り出す場合には、ユーザーは、フィルム蓋１１の外周の一部に形成された開封用タブ１１ａ（図４参照）を手で摘まんでこれを上方へと捲り上げる。すると、フィルム蓋１１の接合部（接着部）が、開封用タブ１１ａが形成された部位を起点として容器１（容器本体２）のフランジ部２Ｃから次第に引き剥がされる。この場合、本実施形態では、前述のように、容器１（容器本体２）のフランジ部２Ｃの基端部の厚さを同フランジ部２Ｃの他の部位の厚さよりも厚く設定したため、該基端部の剛性が他の部位の剛性よりも高められている。したがって、フィルム蓋１１をフランジ部２Ｃから引き剥がす力によってフランジ部２Ｃが基端部を中心として大きく弾性変形することがなく、ユーザーによって加えられる力の殆ど全てがフィルム蓋１１を引き剥がす力として効率よく利用され、該フィルム蓋１１を容器１（容器本体２）のフランジ部２Ｃから小さな力で容易に剥がすことができ、当該フィルム蓋付容器１０の易開封性が高められる。
【００３２】
また、本実施形態に係るフィルム蓋付容器１０においては、容器１（容器本体２）のフランジ部２Ｃの上面の外周縁部に傾斜部２ｃを形成し、同フランジ部２Ｃの上面の傾斜部２ｃ以外の平坦部２ｄにフィルム蓋１１を接合（接着）したため、フランジ部２Ｃの上面に全面に亘ってフィルム蓋を接合した従来の容器に比して、開封時のフィルム蓋１１の引き剥がし力が小さくて済み、必要なシール強度を確保しつつ、容器１をより一層容易に開封することができる。このため、本実施形態のようにフィルム蓋１１が多層構造を有する多層フィルムで構成されている場合には、開封時のフィルムの層間剥離の発生が防がれ、当該フィルム蓋付容器１０を開封した後に容器１（容器本体２）のフランジ部２Ｃにフィルムの一部が残るという不具合が発生することがない。
【００３３】
以上のような効果は、容器本体２のフランジ部２Ｃの上面の外周縁部に単に傾斜部２ｃを形成するだけの簡単な構成によって得られるため、容器１の成形費が低く抑えられて当該フィルム蓋付容器１０のコストダウンが図られる。
【００３４】
以上のようにしてフィルム蓋１１が容器１（容器本体２）のフランジ部２Ｃから引き剥がされて当該フィルム蓋付容器１０が開封されると、ユーザーは、容器１の内部に収容されている内容物（本実施形態では、発酵乳）を取り出すことができる。
【００３５】
（実施例）
次に、本発明の実施例について説明する。
【００３６】
容器のフランジ部の形状が異なる２種類の容器を実施例１及び比較例１とした。すなわち、図９Ａに示すようにフランジ部２Ｃの上面の外周縁部に傾斜部２ｃが形成された容器を実施例１とした。図９Ｂに示すようにフランジ部１０２Ｃの上面全体が平坦面を構成する従来の容器を比較例１とした。そして、これらの実施例１と比較例１に係る容器に対して同一条件の下で開封性評価とフィルム蓋の層間剥離状態の評価をそれぞれ行なった。
【００３７】
図９Ａに示すように、実施例１に係る容器については、フランジ部２Ｃの平坦部２ｄの径方向長さが５．０ｍｍ、傾斜部２ｃの径方向長さｂが１．０ｍｍ、径方向全長が６．０ｍｍ、フランジ部２Ｃの先端部の厚さが０．６ｍｍ、平坦部２ｄ（基端部を除く）厚さが０．８ｍｍである。図９Ｂに示すように、比較例１の容器については、フランジ部１０２Ｃの径方向全長が６．０ｍｍ、フランジ部１０２Ｃ（基端部を除く）の厚さが０．８ｍｍである。
【００３８】
また、両容器のフィルム蓋は同一のものが使用され、下記の層構成を備える多層フィルムが使用されている。
【００３９】
ＰＥＴ（１６μｍ）／ＡＬ（１２μｍ）／ＰＥ（２０μｍ）／ホットメルト
上記層構成を有するフィルム蓋が同一条件（圧力：０．４ＭＰａ、時間０．９秒、温度１５０℃）で両容器のフランジ部２Ｃ，１０２Ｃにそれぞれ接着された。
【００４０】
１）開封性評価（開封強度測定）：
＜比較方法＞
不図示のプッシュプルゲージを使用して、両容器について開封強度（開封に要する力）を測定した。具体的には、両フィルム蓋の各開封用タブを斜め４５°方向に引っ張り、開封に要する力の最大値を測定した。
【００４１】
＜結果＞
各２４個（ｎ＝２４）の実施例１に係る容器と比較例１に係る容器について測定された開封強度の結果は、表１に示す通りである。
【００４２】
【表１】
2020125134.tif 000003
【００４３】
表１に示す結果から明らかなように、実施例１に係る容器の開封強度（１６．７Ｎ）の方が比較例１に係る容器の開封強度（１９．９Ｎ）よりも小さい。したがって、実施例１に係る容器の開封性の方が比較例１に係る容器の開封性よりも高いことが実証された。
【００４４】
２）層間剥離状態の評価：
＜比較方法＞
各６００個（ｎ＝６００）の実施例１に係る容器と比較例１に係る容器について、冷蔵庫内で開封し、フィルム蓋のフィルムが層間剥離して、フランジ部２Ｃ（図９Ａ参照），フランジ部１０２Ｃ（図９Ｂ参照）にフィルムの一部が残った容器の個数を数えた。
【００４５】
また、フランジ部２Ｃの傾斜部２ｃの高低差ΔｈがΔｈ＝０．１ｍｍと０．２ｍｍである場合についての層間剥離の状態を層間剥離が発生した容器の個数を数えることによって検査した。
【００４６】
なお、フィルム蓋は、一般には低温で剥離し易いため、層間剥離の評価は、過酷な条件を設定して冷蔵庫内で行なった。
【００４７】
＜結果＞
実施例１に係る容器と比較例１に係る容器についての層間剥離状態の評価結果は、表２に示す通りである。
【００４８】
【表２】
2020125134.tif 000004
【００４９】
表２に示すように、比較例１に係る容器のフィルム蓋については、１２４個の容器においてフィルムに層間剥離が発生した（発生率：２０．６％）のに対して、実施例１に係る容器のフィルム蓋についてはフィルムの層間剥離は全く発生しなかった（発生率：０％）。
【００５０】
また、フランジ部２Ｃの傾斜部２ｃの高低差ΔｈがΔｈ＝０．１ｍｍ、Δｈ＝０．２ｍｍである場合の層間剥離の状態を８０個（ｎ＝８０）の容器に対して行なった結果を表３に示す。
【００５１】
【表３】
2020125134.tif 000005
【００５２】
表３に示す結果から、フランジ部２Ｃの傾斜部２ｃの高低差ΔｈがΔｈ＝０．１ｍｍである場合には、１個の容器に層間剥離が発生した（発生率：１．３％）が、Δｈ＝０．２ｍｍである場合には、いずれの容器についても層間剥離は発生しなかった（発生率：０％）。
【００５３】
以上の実施例から、本実施形態に係るフィルム蓋付容器１０（図５参照）に高い開封性が確保されるとともに、フィルム蓋１１が多層フィルムで構成されている場合の該多層フィルムの層間剥離の発生が防がれることが実証された。
【００５４】
なお、以上の実施形態においては、フィルム蓋１１として多層フィルムを用いたが、フィルム蓋１１には単層フィルムを用いてもよい。
【００５５】
また、以上においては、容器１の形状がテーパ円筒状のものに対して本発明を適用した形態について説明したが、容器１の形状は任意であって、例えば多角筒状、楕円筒状、四角筒状の容器及びこれを備えるフィルム蓋付容器に対しても本発明を同様に適用可能である。
【００５６】
その他、本発明は、以上説明した実施形態に適用が限定されるものではなく、特許請求の範囲及び明細書と図面に記載された技術的思想の範囲内で種々の変形が可能であることは勿論である。
【符号の説明】
【００５７】
１        容器
２        容器本体
２Ａ      底部
２Ｂ      胴部
２Ｃ      フランジ部
２ａ      開口部
２ｂ      凹曲面
２ｃ      傾斜部
２ｄ      平坦部
１０      フィルム蓋付容器
１１      フィルム蓋
１１ａ    開封用タブ
ａ        平坦部の径方向長さ
ｂ        傾斜部の径方向長さ
ｔ１      平坦部の厚さ
ｔ２      先端部の厚さ
Δｈ      傾斜部の高低差
θ        傾斜部の傾斜角
【図１】
2020125134.tif 000006
【図２】
2020125134.tif 000007
【図３】
2020125134.tif 000008
【図４】
2020125134.tif 000009
【図５】
2020125134.tif 000010
【図６】
2020125134.tif 000011
【図７】
2020125134.tif 000012
【図８】
2020125134.tif 000013
【図９Ａ】
2020125134.tif 000014
【図９Ｂ】
2020125134.tif 000015